(57)【特許請求の範囲】
【請求項１】
予め設定された稼働条件に従って動作制御されて被処理水に所定の処理を施す水処理設備と、この水処理設備の稼働状態を管理する管理センタとからなり、
前記管理センタは、
前記水処理設備に設けられたセンシング手段にて計測されるセンシング情報およびこのセンシング情報に基づく前記水処理設備の処理動作情報からなる設備稼動情報を定期的に収集し、この設備稼動情報に基づいて前記水処理設備の予め設定された稼動条件の下での稼働状態を監視する稼働状態監視手段と、
前記水処理設備から採取した被処理水および／または処理水に対する水質分析結果を入手し、この分析結果に基づいて前記水処理設備の稼働成果を評価する稼働状態解析手段と、
この稼働状態解析手段により求められた稼働成果に基づいて前記稼働状態監視手段により求められた稼動状態を評価し、データベースに予め蓄積された参照情報を参照して前記水処理設備を稼動するに有用な前記運転条件に関するアドバイス情報やメンテナンス情報等を作成して前記水処理設備側に提示する情報提示手段と
を具備したことを特徴とする設備管理システム。
【請求項２】
前記水処理設備は、冷却水系またはボイラ水系からなる請求項１に記載の設備管理システム。
【請求項３】
前記データベースに蓄積された参照情報は、前記水処理設備の設備仕様および種々の稼動条件において発生した不具合とその対策法とからなる事例を含むものである請求項１に記載の設備管理システム。
【発明の詳細な説明】
【０００１】
【発明の属する技術分野】
本発明は、水処理設備等の稼働状態を、管理センタにおいて集中管理するに適した設備管理システムに関する。
【０００２】
【関連する背景技術】
例えば冷却水系またはボイラ系の水処理設備においては、処理水に含まれる各種の不純物によって、その配管内にスライムやスケールが発生したり、処理水中の塩イオン濃度が上昇することがある。そこで従来より水処理設備の稼働状況に応じて、適宜、その水処理対象水系にスケール除去剤等の水処理薬剤を注入（薬注）することが行われている。また水処理設備に組み込んだ各種センサにより求められる水質等の情報に従って、その薬注を自動制御することも行われている。
【０００３】
またこのような水処理設備の稼働状態をモニタするべく、上述した如く求められた水質の情報や設備機器の動作（制御）状態を示す情報を、その水処理設備の操作部（制御盤）に設けられた表示装置にて表示することも行われている。
【０００４】
【発明が解決しようとする課題】
ところでこの種の水処理設備の稼働状態を把握するために、その都度、当該水処理設備が設けられた現場に赴くことは、多大な労力と時間を必要とする。このような不具合を解消するべく、例えば水処理設備が設けられた現場と、その水処理設備を管理する管理センタとの間を所定の通信回線を介して結び、管理センタにて水処理設備の稼働状態を示す情報を定期的に収集する等して、その稼働状態を管理することが試みられている。
【０００５】
しかしながら上述した如く管理センタにおいて水処理設備の稼働状態を管理しても、該水処理設備が設けられた現場にその管理情報等が提示されなければ、例えば水処理設備のメンテナンス時に当該水処理設備の稼働状態を管理していることによる効果を活かすことができない。しかしその管理情報の全てを逐次水処理設備側に提示しても徒に情報量が増えるだけであり、提示された情報を有効に活用してそのメンテナンスを行い得るとは限らない。
【０００６】
また水処理設備の稼働状態を管理する上で、その処理対象水（被処理物）を採取して水質分析し、その分析結果に従って当該水処理設備におけるブロー量を増減する等の設備稼働条件を変更することも行われる。しかし分析結果に従って設備の稼働条件を変更するには、当該水処理設備の仕様等を十分に把握していることが必要であり、また稼働条件の変更に伴う稼働状態の変化についても熟知していることが必要である。これ故、水処理設備が設けられた現場において、上述した分析結果に基づいてその稼働条件を適切に設定変更することは、一般的には甚だ困難である。
【０００７】
本発明はこのような事情を考慮してなされたもので、その目的は、冷却水系またはボイラ水系からなる水処理設備等の稼働状態を管理センタにおいて管理しながら、そのメンテナンスに必要な情報をその設備側に適切に提示することのできる設備管理システムを提供することにある。
【０００８】
【課題を解決するための手段】
上述した目的を達成するべく本発明に係る設備管理システムは、予め設定された稼働条件に従って動作制御されて被処理水に薬注等の所定の処理を施す設備、例えば冷却水系またはボイラ水系からなる水処理設備と、この水処理設備の稼働状態を管理する管理センタとからなり、
前記管理センタにおいては、前記水処理設備に設けられたセンシング手段にて計測されるセンシング情報およびこのセンシング情報に基づく前記水処理設備の処理動作情報からなる設備稼動情報を通信回線を介して定期的に収集し、この設備稼動情報に基づいて前記水処理設備の予め設定された稼動条件の下での稼働状態を監視すると共に（稼働状態監視手段）、一方、前記水処理設備から採取した被処理水および／または処理水に対する水質分析結果を入手し、この分析結果に基づいて前記水処理設備の稼働成果を評価する（稼働状態解析手段）。そして上記稼働状態解析手段により求められた稼働成果に基づいて前記稼働状態監視手段により求められた稼動状態を評価し、データベースに予め蓄積された参照情報を参照して前記水処理設備を稼動するに有用な前記運転条件に関するアドバイス情報やメンテナンス情報等を作成して前記水処理設備側に提供する（情報提示手段）ことを特徴としている。
【０００９】
より具体的には前記稼働状態監視手段においては、前記水処理設備からその稼働状態を示す情報を定期的に収集して該設備の経時的な稼働状態の変化を逐次監視し、また稼働状態解析手段においては、前記水処理設備から採取した被処理水の水質分析結果を入手したとき、その分析結果に従って前記設備の稼働状態の全体的な動向を解析して、前記水処理設備の稼働成果を評価する。
そして稼動条件制御手段においては、前記稼動条件を規定している処理目標と実際の処理結果とのずれを評価し、データベースを参照して前記水処理設備の稼働環境に適合した稼動条件を求めて前記水処理設備に設定されている稼働条件を変更することを特徴としている。
【００１０】
そして情報提示手段においては、例えば前記稼動条件を規定している処理目標と実際の処理結果とのずれを評価し、データベースに予め蓄積された設備仕様や事例等の参照情報に従って上記設備の稼働状態から、例えば当該設備をメンテナンスするに必要な作業の種別（形態）やそのメンテナンス手順、また各種制御目標の設定変更値等の情報を作成し、これを適宜設備側に提示することで、設備側に負担を掛けることなく該設備の稼働を効果的にアシストしながら、その管理を行うようにしたことを特徴としている。
【００１１】
【発明の実施の形態】
以下、図面を参照して本発明の一実施形態に係る設備管理システムについて説明する。
この実施形態に係る設備管理システムは、例えば図１にその概略的な構成を示すように冷却水系またはボイラ水系からなる水処理設備１の稼働状態を、当該水処理設備１が設けられた現場とは異なる場所に設けられた管理センタ２において管理するように構成される。この管理センタ２と水処理設備１とは電話回線等の所定の通信回線３を介して結ばれ、管理センタ２は通信回線３を介して水処理設備１の稼働状態を示す情報を収集する如く構成される。
【００１２】
尚、管理センタ２が管理する水処理設備１については、ここでは１つだけを示しているが、一般的には互いに異なる場所にそれぞれ設置された複数の水処理設備１からなる。そして管理センタ２はこれらの水処理設備１からそれぞれ通信回線３を介してその稼働情報を示す情報を収集しながら、各水処理設備１の稼働状態を個別に管理する機能を担う。
【００１３】
ちなみに水処理設備１は、基本的には図２に示すように制御盤１１の制御の下で駆動されるポンプ１２により、給水タンク１３から供給される処理水をボイラ／冷却塔１４に供給して所定の水処理（熱交換）を行う如く構成される。そしてボイラ／冷却塔１４やその配管系に組み込まれた各種センサ１５（１５ａ，〜１５ｄ）により検出される水質情報やスライム・スケール情報等に従い、制御処理部１０からその処理対象水系にスライム除去剤等の薬液を注入（薬注）するように構成される。
【００１４】
尚、制御処理部１０は、薬液タンク２１に準備された薬液を処理対象水系に注入するポンプ２２や、各種センサ１５（１５ａ,〜１５ｆ）を介して処理対象水の水質等を検出するセンシング部２３、このセンシング部２３にて検出された情報に従って前記ポンプ２２の作動、即ち、薬注を制御するＣＰＵ２４等を備えている。そしてＣＰＵ２４は、キーボード等の操作部２５から入力される処理動作の指示や、メモリ２６に登録された薬注制御条件を示す設定値（稼働条件）に従って薬注動作を制御する。またＣＰＵ２４は通信端末２７を作動させることで、上述した如く検出したセンシング情報や該制御処理部１６の動作状態等の情報を、所定の通信回線３を介して前記管理センタ２に通知する機能を備えている。
【００１５】
一方、前記管理センタ２は、例えば大型コンピュータにより各種の処理機能を構築した管理部４を主体として構成される。この管理部４は、基本的には水処理設備１からその稼働状態を示す情報（設備稼働情報）を前述した通信回線３を介して定期的に収集するデータ機能、そして収集した設備稼働情報に従って当該水処理設備１の稼働状態を監視する稼働状態監視機能を備える。またこの管理センタ２には、管理対象とする水処理設備１の前述したボイラ／冷却塔１４の形式等からなる設備仕様の情報を予め登録したデータベース５や、各種設備における種々の稼働状態において生じた不具合等の情報、更にその不具合に対して施された最適なメンテナンス法等の事例等の情報を登録したデータベース６が設けられている。
【００１６】
ちなみに前記管理部４が水処理設備１から収集する設備稼働情報は、該水処理設備１が冷却水系である場合には、設備機能としてタイマ薬注やバッチ薬注の情報、その設備情報として薬注量や運転時間、電気伝導度、ブロー量、給水量、また処理水のポリマ濃度や塩化物イオン濃度、更には処理水に生じたスライムやスケールの情報、および汚れの情報等からなる。また水処理設備１がボイラ水系である場合には、設備機能として給水量や給水温度に応じた薬注の情報や希釈の情報、その設備情報として薬注量や運転時間、電気伝導度、ブロー量、給水量、更には軟水量やスケール化の要因となる水質硬度等の情報からなる。
【００１７】
そして管理部４が備える稼働状態監視機能は、上述した如き設備管理情報を所定の周期で定期的に収集しながら、その設備管理情報に従って当該水処理設備１の稼働状態を逐次認識し、例えば異常や不具合の発生を検知し、或いは予知したり、薬注タンク２１における薬液の残量をモニタする等してその稼働状態の変化を逐次的に管理するものとなっている。
【００１８】
また前記管理部４は、水処理設備１から採取された処理水（被処理物）の分析結果を分析センタ７から入手し、その分析結果に従って当該水処理設備１の稼働状態を解析する稼働状態解析機能を備えている。上記分析センタ７は、水処理設備１から採取された処理水のサンプルを電気的、或いは化学的に定性・定量分析してその水質等を調べる役割を担うもので、通常、上記水処理設備１や管理センタ２とは独立した機関として設立されている。そして分析センタ７においては、例えば管理センタ２からの依頼の下で、水処理設備１にて採取された処理水のサンプルを分析処理し、その分析結果をとりまとめて管理センタ２に報告することでその役割を果たす。
【００１９】
しかして管理部４における稼働状態解析機能は、このようにして分析センタ７から報告される、前記水処理設備１から採取した処理水（被処理物）の分析結果を取り込み、その分析結果を解析・評価することで当該水処理設備１の稼働状態を解析し、その解析結果に基づいて水処理設備１の稼働状態の全体的な動向を調べている。またこの稼働状態解析機能により、水処理設備１において所定の水質基準を満たすべく、前述した各種センシング情報に従って処理制御が行われる目標値（水質）と、該水処理設備１において実際に得られる水質とのずれを求める等の評価も行われるようになっている。
【００２０】
このような稼働状態監視機能および稼働状態解析機能に加えて、前記管理部４は更に前述したデータベース５，６にそれぞれ蓄積された設備仕様や事例等の情報を参照しながら、前述した如く求めた水処理設備１の稼働状態に従って当該水処理設備１を稼働するに有用な情報（価値情報）を作成し、この情報を水処理設備１に対して提示する情報提示機能を備えている。水処理設備１を稼働するに有用な情報（価値情報）は、前述した如く収集した稼働状態を示す情報や分析結果そのものではなく、データベース５，６を参照しながら上記各情報を解析して求められた情報（加工した情報）からなる。具体的には水処理設備１の稼働状態を評価する上で着目した主要なセンシング情報とその制御目標値や、当該水処理設備１をメンテナンスするに必要な作業の種別（形態）とそのメンテナンス手順、更には各種制御目標の設定変更値等の情報からなる。
【００２１】
このような水処理設備１を稼働するに有用な価値情報は、例えばインターネットを介して提供可能なＷＥＢ情報画面をなす形態の情報として作成され、水処理設備１からのアクセスを受けて当該水処理設備１に提供される。この際、ＩＤ照合等により、水処理設備１に組み込まれた通信端末や、そのメンテナンス作業者が携帯する通信端末等の、予め特定された通信端末に対してのみ上記価値情報を提供するように保護しておくことが望ましい。
【００２２】
この結果、管理センタ２から水処理設備１に対して、該水処理設備１をメンテナンスするに必要な情報や、該水処理設備１を効率的に稼働する上での制御目標値等の有用な情報（価値情報）を随時提供することができる。従って水処理設備１側の設備・処理負担を招くことなく、水処理設備１でのメンテナンス等を効果的にアシストしながら、その稼働状態を管理することが可能となる。
【００２３】
図３は上述した如く構成された設備管理システムにおける全体的な処理手順の流れを示している。この図３を参照してこの実施形態に係る設備管理システムにおける水処理設備１の管理形態を別の観点から説明すると、水処理設備１においては、そのボイラ／冷却塔の形式やその配管設備等の設備仕様を取得し［ステップＳ１］、これらの設備仕様や当該設備に対して要求されている処理の仕様に従って当該水処理設備１を稼働する上での制御目標値や制御パラメータ等の稼働条件を設定する［ステップＳ２］。これらの設備仕様や稼働条件は、水処理設備１の稼働（運転）開始に先立って、当該水処理設備１の稼働状態の管理を委ねる管理センタ２に通知され、管理センタ２に設けられたデータベース５，６にそれぞれ登録される［ステップＳ２１，Ｓ２２］。
【００２４】
このような準備手順を終えた後、水処理設備１が上述した如く設定した稼働条件の下で稼働（運転）される［ステップＳ３］。そしてその稼働状態が前述したセンシング情報等として逐次検出され［ステップＳ４］、例えば所定の周期毎に管理センタ２に通知される（定時通信）。この定時通信の周期はシステム仕様に応じて定められるもので、例えば２４時間毎に１回等として定められる。尚、水処理設備１において上記センシング情報等からその異常が判定された場合には、上記定時通信のタイミングに拘わることなく、その検知時点で速やかに異常の検知を示す旨の情報と共に、そのときの稼働状態を示すセンシング情報等が管理センタ２に通知される（アラーム通信）。
【００２５】
一方、水処理設備１からの発呼を受けた管理センタ２においては、該水処理設備１から通知される設備状態情報を取り込み（データ収集）、この設備状態情報に従って当該水処理設備１の稼働状態を監視する［ステップＳ２３］。そして前述したデータベース５，６を参照して［ステップＳ２４］、例えばボイラ／冷却塔の形式等の設備仕様に従ってその稼働状態を解析し［ステップＳ２５］、当該水処理設備１が効率的に稼働しているか否か、更にはその稼働効率を高める余地があるか否か等、その稼働状態を評価する。そしてその評価の結果に応じて、当該水処理設備１を効率的に稼働する上で参考となるアドバイス情報や、メンテナンス情報等の水処理設備１にとって有用な情報（価値情報）を作成する［ステップＳ２６］。
【００２６】
この価値情報は、水処理設備１側からのアクセスに応じて、適宜、インターネットを介する等して水処理設備１側に提供される。そして水処理設備１においては、上述した如く管理センタ１から提供される価値情報を参照することで［ステップＳ５］、管理センタ２において詳細に解析されている当該水処理設備１の稼働状態とその評価結果等を知り、適宜そのメンテナンスや、設備稼働条件の調整等を実行する。
【００２７】
さて上述した如く水処理設備１が稼働し、その稼働状態を管理センタ２において監視している状態において、水処理設備１における被処理対象物（処理水）の水質を検査するべく、その処理水系から処理水を採取し［ステップＳ１１］、そのサンプルを分析センタ７に移送すると、当該分析センタ７においてその水質検査が実行される［ステップＳ１２］。そして分析センタ７においては、その分析結果（水質の情報）を管理センタ２に通知する。
【００２８】
すると管理センタ２においては、分析センタ７から通知された水質情報（分析結果）を解析する［ステップＳ３１］。その上でデータベース５，６を参照して［ステップＳ３２］、当該水処理設備１の設備仕様の情報等を得ると共に、前述した如く監視している水処理設備１の稼働状態の情報を得て、当該水処理設備１の動作状態を更に詳しく解析する［ステップＳ３３］。そして、例えば或る水質を確保しながら水処理設備１を稼働している稼働条件が真に適当であるか否か等の評価を行ったり、処理水自体の水質の変化に起因して水処理設備１の稼働条件が、本来目的としている稼働環境との間にずれが生じていないか等を総合的に評価している。
【００２９】
そしてこのような総合的（全体的）な評価結果を踏まえて前述した水処理設備１の稼働状態を再度詳しく判定し、当該水処理設備１を効率的に稼働するに有用な情報（価値情報）を作成している［ステップＳ３４］。このような価値情報もまた水処理設備１に適宜提供され、水処理設備１においてはこの価値情報を得て［ステップＳ６］、そのメンテナンス等を実行することになる。
【００３０】
尚、管理センタ２においては、上述した如く水処理設備１から収集した稼働状態を示す情報、分析センタ７を介して求められた水質の分析結果、およびデータベース５，６に蓄積された情報に従って、当該水処理設備１の総合的な稼働状態の評価結果が求められたならば、この評価結果に従って当該水処理設備１を更に効率的に稼働する上での制御目標値等の、最適な稼働条件を求めている［ステップＳ３５］。そしてこの最適稼働条件を通信回線３を介して水処理設備１に通知し、水処理設備１に設定されている処理制御の設定値等をリモート的に変更し、その稼働条件の最適化を図るようになっている［ステップＳ７］。
【００３１】
かくして上述した如く構築された設備管理システムによれば、水処理設備１の稼働状態を管理する管理センタ２において、該水処理設備１の稼働状態を示す設備状態情報を収集しながら、更に前記水処理設備１から採取されて分析センタ７にて分析された被処理物（処理水）の分析結果を得、これらの情報をデータベース５，６に蓄積されている設備仕様や事例情報を参照しながら解析して、当該水処理設備１を効率的に稼働するに有用な情報（価値情報）作成し、この価値情報を水処理設備１に提示するものとなっている。
【００３２】
従って水処理設備１にとっては、その稼働状態の詳細な分析とその管理を管理センタ２に委ねることができる。その上で管理センタ２から、その稼働状態に応じたメンテナンス等の設備の運用に必要な価値情報の提示を受けることができるので、水処理設備１においては数値等によって示される設備の稼働状態を個々に評価することなく、該設備の全体的な稼働状態を的確に把握することが可能となる。そして提示された価値情報に従って適切なメンテナンスを施せば、これに伴って変化した水処理設備１の稼働状態が再び管理センタ２において管理され、その稼働状態が水処理設備１に提示されるので、水処理設備に１においては大掛かりな設備管理機能を個々に備えなくても、その効率的な運転（稼働）を容易に実現することができる。
【００３３】
また管理センタ２においては、水処理設備１から収集した設備稼働情報や分析センタ７を介して求められる処理水の分析結果のみならず、データベース５，６に蓄積されている当該水処理設備１に固有な設備仕様や、他の設備から求められる等した種々の事例を参照しながらその稼働状態を総合的に評価することができるので、その状態把握の的確性、ひいてはその管理精度を容易に高めることができる等の効果が奏せられる。
【００３４】
尚、本発明は上述した実施形態に限定されるものではない。ここでは冷却水系やボイラ水系の水処理設備１の管理について説明したが、食器洗浄装置等の水処理設備や、純水製造装置や排水処理装置等の設備の監視についても同様に適用することができる。また空調整備等の水処理設備以外の設備を管理する場合にも適用可能なことは言うまでもない。更には通信回線３を介する設備稼働情報の収集の形態や、価値情報の提示の形態についても種々変形可能である。その他、本発明はその要旨を逸脱しない範囲で種々変形して実施することができる。
【００３５】
【発明の効果】
以上説明したように本発明によれば、水処理設備等の設備稼働情報を収集して該設備の稼働状態を管理すると共に、データベースに蓄積されている参照情報を参照しながら、上記設備稼働情報や被処理物の分析結果に従って当該設備の稼働状態を詳細に分析し、該設備を稼働するに有用な価値情報を作成して設備側に提示するので、設備側での処理負担を招くことなく当該設備を効率的に稼働させることができる。
【００３６】
しかも設備側にとっては、当該設備を稼働する上で真に必要な価値ある情報だけを管理センタから取得して、その設備の稼働を管理することができる等の実用上多大なる効果が奏せられる。
【図面の簡単な説明】
【図１】本発明の一実施形態に係る設備管理システムの概略的な構成を示す図。
【図２】管理センタによりその稼働状態が管理される水処理設備の概略的な構成例を示す図。
【図３】本発明に係る設備管理システムにおける概略的な処理手順の流れを示す図。
【符号の説明】
１  水処理設備
２  管理センタ
３  通信回線
５，６  データベース
７  分析センタ
【図１】
0003624941.tif 000002
【図２】
0003624941.tif 000003
【図３】
0003624941.tif 000004